【事件の表示】
　特願２０１６−１３９７０８「４元ディーゼル触媒およびその使用方法」拒絶査定不服審判事件〔平成２８年１２月１５日出願公開、特開２０１６−２１１５８２〕について、次のとおり審決する。
【結　論】
　本件審判の請求は、成り立たない。
【理　由】
第１　手続の経緯  
　本願は、２０１０年（平成２２年）１０月４日（パリ条約による優先権主張外国庁受理２００９年（平成２１年）１０月２日（ＵＳ）アメリカ合衆国）を国際出願日とする特願２０１２−５３２３８３号の一部を２０１６年（平成２８年）７月１４日に新たな特許出願としたものであって、平成２９年６月９日付けで拒絶の理由が通知され（発送日：同年６月１３日）、同年１１月２０日に意見書及び手続補正書が提出され、同年１２月１日付けで拒絶の理由（最後）が通知され（発送日：同年１２月５日）、平成３０年５月２３日に意見書及び誤訳訂正書が提出されたが、同年７月２日付けで同年５月２３日付け誤訳訂正書でした補正が却下されるとともに拒絶査定がなされ（発送日：同年７月１０日）、これに対し、同年１１月９日に拒絶査定不服審判が請求され、その審判の請求と同時に、特許請求の範囲について補正する手続補正書が提出されたものである。
第２  平成３０年１１月９日にされた手続補正についての補正の却下の決定
［補正の却下の決定の結論］
　平成３０年１１月９日にされた手続補正（以下「本件補正」という。）を却下する。
［理由］
１　本件補正について（補正の内容）
　本件補正は、特許請求の範囲の請求項１についてみると、本件補正により補正される前の（すなわち、平成２９年１１月２０日に提出された手続補正書による）下記の（１）の記載を下記の（２）の記載に補正するものである（下線は補正箇所を示す。）。
（１）本件補正前の特許請求の範囲の請求項１
「【請求項１】
　通路を境界付けおよび画定する縦方向に延在する孔壁と、吸気端と排気端との間を延在する軸長とにより形成された複数の縦方向に延在する前記通路を有する壁流フィルタを備えている触媒品であって、
　前記通路が、
　前記吸気端において開かれており、前記排気端において閉じられている吸気通路と、
　前記吸気端において閉じられており、前記排気端において開かれている排気通路と、
　前記孔壁内に前記壁流フィルタの全軸長にわたり配置され、及び該孔壁に浸透したＳＣＲ触媒組成物と、
　前記排気端から延在し、前記壁流フィルタの軸長よりも短い長さである前記排気通路の壁に配置された酸化触媒と、を備え、及び
　前記酸化触媒は耐火性酸化物担体上に分散した白金族金属成分を含む、
ことを特徴とする触媒品。」
（２）本件補正後の特許請求の範囲の請求項１
「【請求項１】
　通路を境界付けおよび画定する縦方向に延在する孔壁と、吸気端と排気端との間を延在する軸長とにより形成された複数の縦方向に延在する前記通路を有する壁流フィルタを備えている触媒品であって、
　前記通路が、
　前記吸気端において開かれており、前記排気端において閉じられている吸気通路と、
　前記吸気端において閉じられており、前記排気端において開かれている排気通路と、
　前記孔壁内に前記壁流フィルタの全軸長にわたり配置され、及び該孔壁に浸透したＳＣＲ触媒組成物と、
　前記排気端から延在し、前記壁流フィルタの軸長よりも短い長さである前記排気通路の壁に配置された酸化触媒と、を備え、及び
　前記酸化触媒は耐火性酸化物担体上に分散した白金族金属成分を含
み、該白金族金属成分はパラジウムを含み、及び
　前記排気端から始まり、前記壁流フィルタの軸長に沿って部分的に延在するガス不浸透性領域をさらに備え、該ガス不浸透性領域におけるガス流は、２分の１未満に低下している
２　本件補正の適否
　本件補正は、本件補正前の請求項１に記載された発明における「白金族金属成分」という発明特定事項について、「該白金族金属成分はパラジウムを含み」と限定するとともに、「前記排気端から始まり、前記壁流フィルタの軸長に沿って部分的に延在するガス不浸透性領域をさらに備え、該ガス不浸透性領域におけるガス流は、２分の１未満に低下している」という事項を追加して限定することにより特許請求の範囲を減縮するものである。
　したがって、特許請求の範囲の請求項１についての本件補正は、本件補正前の特許請求の範囲の請求項１に係る発明の発明特定事項を限定するものであって、本件補正前の請求項１に記載された発明と本件補正後の請求項１に記載される発明の産業上の利用分野及び解決しようとする課題が同一であるから、本件補正は、特許法第１７条の２第５項第２号の特許請求の範囲の減縮を目的とするものに該当する。
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
３　独立特許要件
（１）本件補正発明
　本件補正発明は、上記１（２）に記載したとおりのものである。
（２）引用文献の記載事項
ア　引用文献１
　原査定の拒絶の理由で引用され、本願の優先日前に頒布された又は電気通信回線を通じて公衆に利用可能となった特開昭６３−１８５４２５号公報（以下「引用文献１」という。）には、「排ガス浄化用セラミツクハニカムフイルタ」に関して、図面（特に第１図参照。）とともに次の記載がある（なお、下線部は当審が付与したものである。以下同様。）。
（ア）「１．　押出し成形によって得られた
多数の貫通孔を有するセラミックハニカム構造体の開孔端部が交互にセラミック材で閉塞され、該貫通孔を形成する隔壁により排ガス中の微粒子が捕獲され排ガス入口側の隔壁面上に微粒子が蓄積される排ガス浄化用セラミックハニカムフィルタにおいて、排ガス出口側端部からフィルタ有効全長の1/10〜8/10の長さを有する多孔質セラミック層を隔壁面上に設ける
２．　前記セラミックハニカム構造体がコージェライトである特許請求の範囲第１項記載のフィルタ。
３．　前記多孔質セラミック層がコージェライトである特許請求の範囲第２項記載のフィルタ。
４．　
前記多孔質セラミック層が触媒担持層である
５．　
前記触媒担持層がγアルミナを主成分とする
（イ）「
本発明は、ディーゼルエンジン等の燃焼機関から排出される排ガス中の炭素を主成分とする微粒子を捕獲し、その微粒子を燃焼させて排ガスを浄化するフィルタに関するものである。
（ウ）「上述した構成において、
多孔質セラミック層を設けた部分は隔壁が厚くなり隔壁を通過する排ガス流が制限される
（エ）「第１図は本発明の排ガス浄化用セラミックハニカムフィルタの一実施例を説明するための断面図である。第１図において、
１はセラミックハニカム構造体の隔壁、２は貫通孔４の閉塞部、３は多孔質セラミック層、４は隔壁１により画成される貫通孔であり、５及び矢印は排ガスの流れを示す。多孔質セラミック層３がフィルタ有効全長の1/2の排ガス出口側の隔壁面上に設けた場合を示している。
（オ）「セラミックハニカム構造体としては、均一な形状、気孔径、気孔率、生産性の面から押し出し成形により製造したものが好適に使用でき、その材質は熱衝撃性、気孔率の面からコージェライトを使用すると好適である。また、貫通孔４の形状としては断面が六角形、四角形、丸形等で、その数はセル密度7.7〜46.5セル／cm2（50〜300CPI2）のものが好適である。さらに、隔壁１の厚みは0.25〜0.76mm（10〜30mil）が好適である。」（第３ページ左上欄第９行ないし第１７行）
（カ）「
多孔質セラミック層３は排ガス出口側の端部から上述した所定の長さにわたって排ガスの入口側および出口側の隔壁１上の両方あるいはいずれか一方に設けられる。また、多孔質セラミック層３に触媒担持補助材を兼ねさせることも可能で、その場合この触媒担持補助材をγ−アルミナ等で形成して白金等の触媒を担持させて触媒担持層を形成することにより、微粒子を含む排ガスの浄化とともに排ガス中に含まれる一酸化炭素、炭化水素類、窒素酸化物を酸化還元したり
（キ）「
多孔質セラミック層３の厚みは、隔壁１の厚さ、気孔率、多孔質セラミック層３の材質および気孔率によって選択され
（ク）上記（エ）及び第１図の図示内容からみて、隔壁１は、貫通孔４を境界付けおよび画定する所定方向に延在し、排ガス入口側の端部と排ガス出口側の端部との間を延在する長さとにより形成された複数の所定方向に延在するものであることが分かる。
（ケ）上記（ア）、（エ）及び第１図の図示内容からみて、多孔質セラミック層３は、排ガス出口側の端部からセラミックハニカム構造体の長さに沿って部分的に延在し、セラミックハニカム構造体の長さよりも短い長さであることが分かる。
　上記（ア）ないし（ケ）の記載事項及び図示内容を総合し、本件補正発明の記載ぶりに則って整理すると、引用文献１には、次の発明（以下「引用発明」という。）が記載されている。
＜引用発明＞
　「貫通孔４を境界付けおよび画定する所定方向に延在する隔壁１と、排ガス入口側の端部と排ガス出口側の端部との間を延在する長さとにより形成された複数の所定方向に延在する前記貫通孔４を有するセラミックハニカム構造体を備えている排ガス浄化用セラミックハニカムフィルタであって、
　前記貫通孔４が、
　前記排ガス入口側の端部において開かれており、前記排ガス出口側の端部において閉塞されている前記貫通孔４と、
　前記排ガス入口側の端部において閉塞されており、前記排ガス出口側の端部において開かれている前記貫通孔４と、
　前記排ガス出口側の端部から延在し、前記セラミックハニカム構造体の長さよりも短い長さである前記貫通孔４の壁に配置された多孔質セラミック層３と、を備え、
　前記多孔質セラミック層３は、γアルミナを主成分とし、白金等の触媒を担持させて触媒担持層を形成し、
　前記排ガス出口側の端部から前記セラミックハニカム構造体の長さに沿って部分的に延在する前記多孔質セラミック層３を設けた部分は隔壁１を通過する排ガス流が制限される排ガス浄化用セラミックハニカムフィルタ。」
イ　引用文献２
　原査定の拒絶の理由で引用され、本願の優先日前に頒布された又は電気通信回線を通じて公衆に利用可能となった特開２００４−６０４９４号公報（以下「引用文献２」という。）には、「内燃機関の排気浄化装置」に関して、図面（特に、図２及び３を参照。）とともに次の記載がある。
（ア）「【０００８】
【発明が解決しようとする課題】
しかし、
フィルタ及びＮＯ
Ｘ
触媒を夫々設ける必要があることから、車両への搭載スペースの確保が困難となり、また、コスト高となってしまう。
（イ）「【００４５】
図２（Ａ）及び（Ｂ）に示されるようにフィルタ５は、互いに平行をなして延びる複数個の排気流通路５０、５１を具備するいわゆるウォールフロー型である。これら排気流通路は下流端が栓５２により閉塞された排気流入通路５０と、上流端が栓５３により閉塞された排気流出通路５１とにより構成される。なお、図２（Ａ）においてハッチングを付した部分は栓５３を示している。従って、排気流入通路５０および排気流出通路５１は薄肉の隔壁５４を介して交互に配置される。換言すると排気流入通路５０および排気流出通路５１は各排気流入通路５０が４つの排気流出通路５１によって包囲され、各排気流出通路５１が４つの排気流入通路５０によって包囲されるように配置される。
【００４６】
フィルタ５は例えばコージェライトのような多孔質材料から形成されており、無数の細孔が形成されている。従って排気流入通路５０内に流入した排気は図２（Ｂ）において矢印で示されるように周囲の隔壁５４内を通って隣接する排気流出通路５１内に流出する。」
（ウ）「【００４８】
そこで、本実施の形態では、
フィルタ５の隔壁５４内にアンモニア選択還元触媒を担持させ、
【００４９】
図３は、フィルタの隔壁断面（図２（Ｂ）中のＸ部分）の拡大図である。
【００５０】
矢印方向に排気が流れる。排気が流入する側の各排気流入通路５０の壁面に尿素加水分解触媒５０１を担持し、
フィルタの隔壁５４内部の細孔面上にアンモニア選択還元触媒５０２を担持し、
【００５１】
本実施の形態によるフィルタ５は、例えば以下のようにして製造することができる。先ず、
アンモニア選択還元触媒を満たした槽にフィルタ５全体を漬けて細孔内にアンモニア選択還元触媒を担持させる。
【００５２】
このようにして、排気が流入する側の各排気流入通路５０の壁面に尿素加水分解触媒５０１を担持させ、
フィルタの隔壁５４内部の細孔内壁面上にアンモニア選択還元触媒５０２を担持させ、
（エ）「【００６７】
ところで、フィルタ５に捕集されたＰＭが該フィルタ５に堆積するとフィルタ５の目詰まりを発生させることがある。この目詰まりが発生すると、フィルタ５上流の排気の圧力が上昇しエンジン１の出力低下やフィルタ５の毀損を誘発する虞がある。このようなときには、フィルタ５上に堆積したＰＭを除去するフィルタ５の再生を行う必要がある。このようなフィルタの再生を行うためには、フィルタ５の温度を上昇させる必要がある。」
  上記（ア）ないし（エ）の記載事項及び図示内容を総合すると、引用文献２には、次の事項（以下「引用文献２記載事項」という。）が記載されている。
＜引用文献２記載事項＞
　「アンモニア選択還元触媒を満たした槽にフィルタ５全体を漬けて、フィルタ５の隔壁５４内部の細孔内にアンモニア選択還元触媒を担持させたこと。」
ウ　引用文献３
　当審において新たに引用され、本願の優先日前に頒布された又は電気通信回線を通じて公衆に利用可能となった特開２００９−２０３７９９号公報（以下「引用文献３」という。）には、以下の事項が記載されている。
「【０００４】
　そして、排気ガス中のパティキュレートは、前記多孔質薄壁の内側表面に捕集されて堆積するので、目詰まりにより排気抵抗が増加しないうちにパティキュレートを適宜に燃焼除去してパティキュレートフィルタの再生を図る必要があるが、通常のディーゼルエンジンの運転状態においては、パティキュレートが自己燃焼するほどの高い排気温度が得られる機会が少ない為、
ＰｔやＰｄ等を活性種とする酸化触媒をパティキュレートフィルタに一体的に担持させるようにしている。
　上記の記載事項から、引用文献３には、次の事項（以下「引用文献３記載事項」という。）が記載されている。
　「Ｐｄ等を活性種とする酸化触媒をパティキュレートフィルタに一体的に担持させるようにしていること。」
エ　引用文献４
　当審において新たに引用され、本願の優先日前に頒布された又は電気通信回線を通じて公衆に利用可能となった特開２００９−１８０２０２号公報（以下「引用文献４」という。）には、以下の事項が記載されている。
「【００１１】
　排気管１４の後端には排気マフラー１５が接続され、この排気マフラー１５は、排気管１４を通った高温・高圧の排気ガスを消音して外部に排出するサイレンサとして機能する。図１には、この排気マフラー１５が、複数の隔壁１５Ａ、１５Ｂによって複数の室に仕切られて各室を連通管１５Ｃ、１５Ｄ、１５Ｅで連通した多段膨張型に構成されており、最も上流側に位置する前室に排気ガス浄化用触媒３０が配置されている。
　
排気ガス浄化用触媒３０は、パラジウム（Ｐｄ）を主たる触媒成分とした酸化触媒であり
　上記記載事項から、引用文献４には、次の事項（以下「引用文献４記載事項」という。）が記載されている。
　「排気ガス浄化用触媒３０は、パラジウム（Ｐｄ）を主たる触媒成分とした酸化触媒であること。」
（３）対比・判断
　
　本件補正発明と引用発明とを対比すると、後者の「貫通孔４」は前者の「通路」に相当し、以下同様に、「隔壁１」は「孔壁」に、「排ガス入口側の端部」は「吸気端」に、「排ガス出口側の端部」は「排気端」に、「長さ」は「軸長」に、「セラミックハニカム構造体」は「壁流フィルタ」に、「排ガス流」は「ガス流」に、それぞれ相当する。
　後者の「排ガス浄化用セラミックハニカムフィルタ」は、触媒を担持させた触媒担持層を有しているから、前者の「触媒品」に相当する。
　後者の「閉塞」は前者の「閉じられている」に相当するから、後者の「前記排ガス入口側の端部において開かれており、前記排ガス出口側の端部において閉塞されている前記貫通路４」は前者の「前記吸気端において開かれており、前記排気端において閉じられている吸気通路」に相当し、同様に、「前記排ガス入口側の端部において閉塞されており、前記排ガス出口側の端部において開かれている前記貫通孔４」は「前記吸気端において閉じられており、前記排気端において開かれている排気通路」に相当する。
　後者の「所定方向」と前者の「縦方向」とは、「所定方向」という限りで一致する。
　後者の「多孔質セラミック層３は、γアルミナを主成分とし」について、γアルミナが、耐火性を有するということは技術常識である。また、後者の「白金等」は前者の「白金族金属成分」に相当するといえる。してみると、後者の「前記排ガス出口側の端部から延在し、前記セラミックハニカム構造体の長さよりも短い長さである前記貫通孔４の壁に配置された多孔質セラミック層３と、を備え、前記多孔質セラミック層３は、γアルミナを主成分とし、白金等の触媒を担持させて触媒担持層を形成し」たことと、前者の「前記排気端から延在し、前記壁流フィルタの軸長よりも短い長さである前記排気通路の壁に配置された酸化触媒と、を備え、及び前記酸化触媒は耐火性酸化物担体上に分散した白金族金属成分を含み、該白金族金属成分はパラジウムを含」むこととは、「排気端から延在し、壁流フィルタの軸長よりも短い長さである排気通路の壁に配置された触媒と、を備え、及び前記触媒は耐火性担体上に白金族金属成分を含み」という限りで一致する。
　
　後者の「前記排ガス出口側の端部から前記セラミックハニカム構造体の長さに沿って部分的に延在する前記多孔質セラミック層３を設けた部分は隔壁１を通過する排ガス流が制限される」ことと、前者の「前記排気端から始まり、前記壁流フィルタの軸長に沿って部分的に延在するガス不浸透性領域をさらに備え、該ガス不浸透性領域におけるガス流は、２分の１未満に低下している」こととは、「排気端から始まり、壁流フィルタの軸長に沿って部分的に延在する領域をさらに備え、該領域におけるガス流は、低下している」という限りで一致する。
　そうすると、本件補正発明と引用発明とは、次の一致点、相違点がある。
［一致点］
　「通路を境界付けおよび画定する所定方向に延在する孔壁と、吸気端と排気端との間を延在する軸長とにより形成された複数の所定方向に延在する前記通路を有する壁流フィルタを備えている触媒品であって、
　前記通路が、
　前記吸気端において開かれており、前記排気端において閉じられている吸気通路と、
　前記吸気端において閉じられており、前記排気端において開かれている排気通路と、
　前記排気端から延在し、前記壁流フィルタの軸長よりも短い長さである前記排気通路の壁に配置された触媒と、を備え、及び
　前記触媒は耐火性担体上に白金族金属成分を含み、及び
　前記排気端から始まり、前記壁流フィルタの軸長に沿って部分的に延在する領域をさらに備え、該領域におけるガス流は、低下している触媒品。」
［相違点１］
　所定方向について、本件補正発明は、「縦方向」であるのに対して、引用発明は、縦方向であるか不明である点。
［相違点２］
　本件補正発明は、孔壁内に壁流フィルタの全軸長にわたり配置され、及び該孔壁に浸透したＳＣＲ触媒組成物を備えるのに対して、引用発明は、そのようなＳＣＲ触媒組成物を備えない点。
［相違点３］
　触媒について、本件補正発明は、排気端から延在し、壁流フィルタの軸長よりも短い長さである排気通路の壁に配置された「酸化触媒」と、を備え、及び「前記酸化触媒」は耐火性「酸化物」担体上に「分散した」白金族金属成分を含み、該白金族金属成分は「パラジウムを含む」のに対して、引用発明は、排ガス出口側の端部から延在し、セラミックハニカム構造体の長さよりも短い長さである貫通孔４の壁に配置された多孔質セラミック層３と、を備え、多孔質セラミック層３は、γアルミナを主成分とし、白金等の触媒を担持させて触媒担持層を形成している点。
［相違点４］
　排気端から始まり、壁流フィルタの軸長に沿って部分的に延在する領域にについて、本件補正発明においては、「ガス不浸透性」領域であり、該「ガス不浸透性」領域のガス流は「２分の１未満」に低下しているのに対して、引用発明においては、該領域におけるガス流は、低下している点。
　上記相違点１について検討する。
　本件補正発明の「縦方向」に関して、本願の明細書には「図３は本発明の例示の実施形態の拡大断面図を示す。示す触媒品は、通路２４および２６を境界付けおよび画定し、かつ吸気端１４と排気端１６との間を軸長「Ｌ」を有して縦方向に延在する孔壁１３により形成された複数の縦方向に延在する通路を有する壁流フィルタを備えている。」（段落【００３３】）との記載がある。
　他方、引用発明の隔壁１は、「貫通孔４を境界付けおよび画定し、かつ排ガス入口側の端部と排ガス出口側の端部との間を軸長を有して延在する」（上記「（２）ア（ク）」）ものである。
　そうすると、引用発明における「所定方向」は、「縦方向」といえる。
　したがって、上記相違点１は実質的な相違点ではない。
　上記相違点２について検討する。
　引用文献２記載事項は、「アンモニア選択還元触媒を満たした槽にフィルタ５全体を漬けて、フィルタの隔壁５４内部の細孔内及び細孔面上にアンモニア選択還元触媒を担持させたこと。」である。
　本件補正発明と引用文献２記載事項とを対比すると、後者の「アンモニア選択還元触媒」は前者の「ＳＣＲ触媒」に、以下同様に「フィルタ５」は「壁流フィルタ」又は「触媒品」に、「隔壁５４」は「孔壁」に相当する。
　また、後者においては、選択還元触媒を満たした槽にフィルタ５全体を漬けて、フィルタの隔壁５４内部の細孔内及び細孔面上にアンモニア選択還元触媒を担持させているから、アンモニア選択還元触媒は、隔壁５４に浸透したものといえる。
　したがって、引用文献２記載事項を、本件補正発明の用語を用いて整理すると、「孔壁内に壁流フィルタの全軸長にわたり配置され、及び該孔壁に浸透したＳＣＲ触媒組成物を備える触媒品。」といえる。
　そして、引用発明と引用文献２記載事項とは、触媒品に関する技術である点で共通し、引用発明における隔壁１と引用文献２記載事項における隔壁５４とは、排ガス中の微粒子を捕集する壁という機能作用が共通する構成である。
　また、引用文献２の段落【０００８】には、「フィルタ及びＮＯｘ触媒を夫々設ける必要があることから、車両への搭載スペースの確保が困難となり、また、コスト高となってしまう」と記載されており、車両に搭載される排ガス浄化用フィルタにおいて、スペース性の向上やコストの低下を図るという課題も示されている。
　そうすると、引用発明において、上記引用文献２記載事項を適用することにより、上記相違点２に係る本件補正発明の特定事項とすることは、当業者が容易に想到し得たことである。
　上記相違点３について検討する。
　引用文献１には、多孔質セラミック層３に白金等の触媒を担持させて触媒担持層を形成することにより、微粒子を含む排ガスの浄化とともに排ガス中に含まれる一酸化炭素、炭化水素類、窒素酸化物を酸化還元させることが可能であることが記載されている（上記（２）ア（カ）を参照。）。
　そうすると、引用発明における多孔質セラミック層３に白金族金属成分を含む触媒を分散した状態で担持させて酸化触媒とすることは、当業者が容易に想到し得たことである。
　ここで、引用文献３記載事項は「Ｐｄ等を活性種とする酸化触媒をパティキュレートフィルタに一体的に担持させるようにしていること。」であり、引用文献４記載事項は「排気ガス浄化用触媒３０は、パラジウム（Ｐｄ）を主たる触媒成分とした酸化触媒であること。」である。
　また、パラジウムが白金族金属であることは技術常識であり、酸化触媒で用いる白金族金属として、パラジウムを含むことは、周知の事項であるといえる。
　そして、引用発明において、上記周知の事項を考慮することにより、相違点３に係る本件補正発明の特定事項とすることは、当業者が容易に想到し得たことである。
　上記相違点４について検討する。
　本件補正発明の「不浸透性領域」とは、本願明細書の段落【００３６】を参照すると、ガス流が衝突する抵抗がより高い領域であって、低い条件でガスが流れるフィルタ壁における範囲を意味する。
　したがって、引用発明の多孔質セラミック層３を設けた部分は、ガス不浸透性領域である。
　そして、引用文献１には、多孔質セラミック層３の厚みや材質、気孔率は種々選択可能であることが記載されている（上記（２）ア（キ）を参照。）ことに鑑みると、引用発明において、多孔質セラミック層３を設けた部分のガス流を、どの程度にするかは、当業者が適宜決定し得たことといえる。
　また、本願の明細書及び図面の記載からは、ガス不浸透性領域のガス流を２分の１未満に低下したことによって顕著な効果を奏するとは認められない。
　そうすると、引用発明において、多孔質セラミック層３を設けた部分のガス流を２分の１未満に低下するようにして、相違点４に係る本件補正発明の特定事項とすることは、当業者が容易に想到し得たことである。
（４）　効果について
　本件補正発明は、全体としてみても、引用発明、引用文献２記載事項及び周知の事項から予測し得ない格別な効果を奏するものではない。
（５）　まとめ
　上記（１）ないし（４）により、本件補正発明は、引用発明、引用文献２記載事項及び周知の事項に基いて当業者が容易に発明をすることができたものであるから、特許法第２９条第２項の規定により、特許出願の際独立して特許を受けることができない。
　したがって、本件補正発明は、特許法第１７条の２第６項において準用する同法第１２６条第７項の規定に違反するので、同法第１５９条第１項において読み替えて準用する同法第５３条第１項の規定により却下すべきものである。
　よって、［補正の却下の決定の結論］のとおり決定する。
第３　本願発明について
１　本願発明
　平成３０年１１月９日付けの手続補正は上記のとおり却下されたので、本願の請求項１に係る発明（以下「本願発明」という。）は、平成２９年１１月２０日付けの手続補正により補正された特許請求の範囲の請求項１に記載された事項により特定される、前記第２［理由］１（１）に記載のとおりのものである。
２　原査定の拒絶の理由
　原査定の拒絶の理由は、本願の請求項１に係る発明は、本願の出願前に頒布された又は電気通信回線を通じて公衆に利用可能となった下記の引用文献１及び２に記載された事項に基いて、その出願前にその発明が属する技術分野における通常の知識を有する者が容易に発明をすることができたものであるから、特許法第２９条第２項の規定により特許を受けることができない、というものである。
　引用文献１：特開昭６３−１８５４２５号公報
　引用文献２：特開２００４−６０４９４号公報
３　引用文献
　原査定の拒絶の理由で引用された、引用文献１及び引用文献２並びにその記載事項は、前記第２の［理由］３（２）に記載したとおりである。
４　対比・判断
　本件補正発明は、前記第２の［理由］２で検討したとおり、本願発明に発明特定事項を付加して限定したものであるから、本願発明は、本件補正発明の発明特定事項の一部を削除したものに相当する。
　そうすると、本願発明の発明特定事項を全て含み、さらに他の事項を付加したものに相当する本件補正発明が、前記第２の［理由］３に記載したとおり、引用発明、引用文献２記載事項及び周知の事項に基いて、当業者が容易に発明をすることができたものであるから、本願発明は、実質的に同様の理由により、引用発明及び引用文献２記載事項に基いて、当業者が容易に発明をすることができたものである。
５　まとめ
　したがって、本願発明は、引用発明及び引用文献２記載事項に基いて、当業者が容易に発明をすることができたものであるから、特許法第２９条第２項の規定により特許を受けることができない。
第４　むすび
　以上のとおり、本願発明は、特許法第２９条第２項の規定により特許を受けることができないから、本願の他の請求項に係る発明について検討するまでもなく、本願は拒絶されるべきものである。 
　よって、結論のとおり審決する。